(57)【特許請求の範囲】
【請求項１】
本体ケーシング（１）内に、熱交換器（２）と、クロスフローファン（３）を回転駆動するファンモータ（５）と、換気ファンユニット（４）とを有する空気調和機において、上記ファンモータ（５）を上記熱交換器（２）の一方の側に、上記換気ファンユニット（４）を上記熱交換器（２）の他方の側に配置し、上記熱交換器（２）は、本体ケーシング（１）の内外を貫いて配置される補助配管（６）を有し、この補助配管（６）の引出側を上記ファンモータ（５）と同じ側に配置し、上記換気ファンユニット（４）は、本体ケーシング（１）の内外を貫いて配置される通気ダクト（７）を有し、この通気ダクト（７）を上記ファンモータ（５）とは反対側に配置したことを特徴とする空気調和機。
【請求項２】
上記熱交換器（２）のいずれかの側方から上記補助配管（６）及び通気ダクト（７）の双方を本体ケーシング（１）の外部に引き出すようにしたことを特徴とする請求項１の空気調和機。
【発明の詳細な説明】
【０００１】
【発明の属する技術分野】
この発明は、換気ファンユニットを備えた空気調和機に関するものである。
【０００２】
【従来の技術】
図４は、上記空気調和機の従来例として、分離型空気調和機の室内機を示す概略断面図である。本体ケーシング４１内には、前面側熱交換器４９と背面側熱交換器５０とを逆Ｖ字状に連結して構成した室内熱交換器４２が設けられている。そしてこの室内熱交換器４２の逆Ｖ字に挟まれるようにして、円筒状のクロスフローファン４３が配置されている。さらにこのクロスフローファン４３の背部には、クロスフローファン４３によって発生した気流を室内へ導くスクロール部４０が形成されている。
【０００３】
図３は、上記室内機の透過正面図である。以下では、同図に示される右側を単に「右側」といい、同様に同図に示される左側を単に「左側」という。同図に示すように上記クロスフローファン４３は、前面側熱交換器４９の下部に沿って、その軸方向が左右に延びるようにして配置されている。そして室内熱交換器４２の右側に、ファンモータ４５が設けられている。クロスフローファン４３は、このファンモータ４５で回転駆動される。上記室内熱交換器４２は、その右側から補助配管４６が引き出されている。この補助配管４６は、室外機（図示せず）との間で冷媒回路を形成する液管及びガス管から成るものである。そしてこの補助配管４６をさらに断熱被覆して、連絡配管４８が形成されている。この連絡配管４８は、図４に示すように上記スクロール部４０背面側の配管処理スペースを通じて本体ケーシング４１の右側から左側へ配設されている。そして上記連絡配管４８は、本体ケーシング４１の左側面に設けられた貫通孔３９から室外へ引き出されている。また上記室内熱交換器４２の右側の空間には、マイクロコンピュータやモータ駆動用のパワーアンプ等の電装品が配置され、さらに換気ファンユニット４４が設けられている。この換気ファンユニット４４は、室内空気を吸い込んでこれを室外へ排出するものである。そしてそのための通気ダクト４７が、上記換気ファンユニット４４に接続されている。この通気ダクト４７も、図４に示すように上記スクロール部４０の背面側を通じて本体ケーシング４１の右側から左側へ配設されている。そして上記通気ダクト４７は、上記貫通孔３９から室外へ引き出されている。
【０００４】
【発明が解決しようとする課題】
上記の空気調和機では、本体ケーシング４１の一方の側から連絡配管４８と通気ダクト４７との双方を引き出すことにより、室内と室外との間に配設する必要のあるこれら連絡配管４８及び通気ダクト４７の処理を容易とし、これによって据付施工性の向上が図られている。ところがこのように本体ケーシング４１の一方の側から補助配管４６と通気ダクト４７との双方を引き出そうとすると、上記室内機では、本体ケーシング４１内において右側から左側へ連絡配管４８と通気ダクト４７との双方を並行して配設しなければならない。そのため本体ケーシング４１内には大きな配管処理スペースを確保しておかなければならず、これが室内機の小型化を阻害するという問題があった。また上記のようにスクロール部４０の背面側に配管処理スペースを確保してここに連絡配管４８と通気ダクト４７との双方を配設する構造である場合には、次のような問題が生じていた。すなわち、上記配管処理スペースが小さくてこれに通気ダクト４７と連絡配管４８とを完全に収納しきれないと、室内機の設置後に壁３８から室内機が浮き上がってしまい、却って据付施工性が低下してしまうのである。
【０００５】
他方、据付の都合で上記貫通孔３９を本体ケーシング４１の右側面に設けている場合には、通気ダクト４７も連絡配管４８もスクロール部４０の背面側を通す必要がない。従って上記のような問題が生じることもない。しかしながらそのような場合でも、室内熱交換器４２の右側方にファンモータ４５、換気ファンユニット４４、電装品が偏在している。そのため室内機の重量が右側に偏ってバランスが崩れ、これが異常振動の一因になるという問題があった。
【０００６】
この発明は、上記従来の課題を解決するためになされたものであって、その目的は、異常振動の発生を抑制することが可能であり、また機器の小型化を図ることも可能な空気調和機を提供することにある。
【０００７】
【課題を解決するための手段】
そこで請求項１の空気調和機は、本体ケーシング１内に、熱交換器２と、クロスフローファン３を回転駆動するファンモータ５と、換気ファンユニット４とを有する空気調和機において、上記ファンモータ５を上記熱交換器２の一方の側に、上記換気ファンユニット４を上記熱交換器２の他方の側に配置し、上記熱交換器２は、本体ケーシング１の内外を貫いて配置される補助配管６を有し、この補助配管６の引出側を上記ファンモータ５と同じ側に配置し、上記換気ファンユニット４は、本体ケーシング１の内外を貫いて配置される通気ダクト７を有し、この通気ダクト７を上記ファンモータ５とは反対側に配置したことを特徴としている。
【０００８】
上記請求項１の空気調和機では、ファンモータ５を上記熱交換器２の一方の側に、また、換気ファンユニット４を熱交換器２の他方の側に、それぞれ配置したので、換気ファンユニット４とファンモータ５との重量のバランスをとることができる。従って重量バランス崩れによる異常振動の発生を抑制することができる。また換気ファンユニット４と補助配管６とによって、重量バランスを図ることが可能となる。
【０００９】
また請求項２の空気調和機は、上記熱交換器２のいずれかの側方から上記補助配管６及び通気ダクト７の双方を本体ケーシング１の外部に引き出すようにしたことを特徴としている。
【００１０】
上記請求項２の空気調和機においては、補助配管６と通気ダクト７とを熱交換器２のいずれの側方から本体ケーシング１外に引き出しても、熱交換器２の一方の側部から他方の側部へ配設されるのを、補助配管６と通気ダクト７のうちいずれかのみとすることが可能となる。すなわち、補助配管６と通気ダクト７とを熱交換器２のいずれの側方から本体ケーシング１外に引き出しても、熱交換器２の一方の側部から他方の側部へ配設されるのは、補助配管６と通気ダクト７のうちいずれかのみとなる。
【００１１】
【発明の実施の形態】
次に、この発明の空気調和機の具体的な実施の形態について、図面を参照しつつ詳細に説明する。
【００１２】
図１は、上記空気調和機の室内機を示す透過正面図である。以下では、同図に示される右側を単に「右側」といい、同様に同図に示される左側を単に「左側」という。本体ケーシング１内には室内熱交換器２が設けられているが、この室内熱交換器２は、上記従来例と同様に、前面側熱交換器９と背面側熱交換器（図示せず）とを逆Ｖ字状に連結して構成したものである。そしてこの室内熱交換器２の逆Ｖ字に挟まれるようにして、円筒状のクロスフローファン３が配置されている。さらにこのクロスフローファン３の背部には、クロスフローファン３によって発生した気流を室内へ導くスクロール部（図示せず）が形成されている。また上記クロスフローファン３は、上記前面側熱交換器９の下部に沿って、その軸方向が左右に延びるようにして配置されている。そして室内熱交換器２の右側にファンモータ５が設けられ、このファンモータ５でクロスフローファン３を回転駆動するようになっている。
【００１３】
上記室内熱交換器２は、その右側から補助配管６が引き出されている。この補助配管６は、室外機（図示せず）との間で冷媒回路を形成する液管及びガス管から成るものである。そしてこの補助配管６に断熱被覆して、連絡配管８が形成されている。この連絡配管８は、上記スクロール部の背面側の配管処理スペースを通って本体ケーシング１の右側から左側へ配設される。そして本体ケーシング１の左側面に設けられた貫通孔１０から室外へ引き出されている。また上記室内熱交換器２の右側の空間には、マイクロコンピュータやモータ駆動用のパワーアンプ等の電装品が配置されている。
【００１４】
一方、上記室内熱交換器２の左側方には、換気ファンユニット４が設けられている。この換気ファンユニット４は、室内空気を吸い込んでこれを室外へ排出するものである。そしてそのために排気を流通させる通気ダクト７が、上記換気ファンユニット４に接続されている。この排気ダクト７は、上記貫通孔１０から室外へ引き出されている。
【００１５】
上記室内機では、本体ケーシング１の左側面に貫通孔１０が設けられるとともに、換気ファン４を室内熱交換器２の左側方に配置している。補助配管６は室内熱交換器２の右側から引き出されるから、連絡配管８は本体ケーシング１の右側から左側へ配設されている。しかしながら排気ダクト７は本体ケーシング１内において左右に配設されることなく、換気ファン４近傍に設けられた貫通孔１０から本体ケーシング１の外部に引き出される。従ってスクロール部の背面側に形成された配管処理スペースには連絡配管８だけが配設されることになる。従って本体ケーシング１内に形成された上記配管処理スペースが比較的小さい場合であっても、このスペースに連絡配管８を確実に収納でき、据付後に壁から室内機が浮き上がるなどの問題が生じることもない。従って良好な据付施工性を確保しつつ、機器の小型化を図ることができる。また換気ファン４を室内熱交換器２の左側に配置しているので、室内熱交換器２の右側に配置されたファンモータ５、補助配管６、電装品と重量のバランスをとることができる。従って重量バランス崩れによる異常振動の発生を抑制することができる。
【００１６】
図２は、上記室内機の変形例である。この室内機では、貫通孔１０を本体ケーシング１の右側面に設けている。そのため通気ダクト７が、スクロール部の背面側の配管処理スペースを通って本体ケーシング１の左側から右側へ配設される。その一方、連絡配管８はスクロール部の背面側に配設されず、そのまま上記貫通孔１０から室外へ引き出される。この場合、本体ケーシング１内の上記配管処理スペースには通気ダクト７だけが配設されるから、このスペースが比較的小さい場合でも通気ダクト７を確実に収納でき、据付後に壁から室内機が浮き上がるなどの問題が生じることもない。従って機器の小型化を図りつつ、良好な据付施工性を害することはない。また重量バランス崩れによる異常振動の発生を抑制することができるのは、上記と同様である。
【００１７】
以上にこの発明の具体的な実施の形態について説明したが、この発明は上記形態に限定されるものではなく、この発明の範囲内で種々変更して実施することができる。上記では、壁掛型の室内機に本発明を適用した。しかしながら本発明によれば、通気ダクトと連絡配管とが本体ケーシング内で重なり合って配設されるのを回避でき、これによって機器の小型化を図ることができるのであるから、他の形式の空気調和機に本発明を適用した場合にも、その優れた効果を得ることができる。また、上記では室内空気を室外へ排出する換気ファンユニットを用いたが、室内空気と室外空気とを交換するような換気ファンユニットを用いてもよい。
【００１８】
【発明の効果】
上記請求項１の空気調和機では、ファンモータを上記熱交換器の一方の側に、また、換気ファンユニットを熱交換器の他方の側に、それぞれ配置したので、換気ファンユニットとファンモータとの重量のバランスをとることができる。従って重量バランス崩れによる異常振動の発生を抑制することができる。また補助配管と換気ファンユニットとで重量バランスが図られるので、重量の偏在によって生じる異常振動を抑制することが可能となる。
【００１９】
また上記請求項２の空気調和機では、本体ケーシングのいずれの側部から補助配管と通気ダクトとを引き出しても、熱交換器の一方の側部から他方の側部へ配設されるのを、補助配管又は通気ダクトのいずれかのみとすることができる。従って補助配管と通気ダクトとが本体ケーシング内で重なり合って配設されることは回避され、機器の小型化を図ることが可能となる。
【図面の簡単な説明】
【図１】この発明の一実施形態の空気調和機の透過平面図である。
【図２】上記空気調和機の変形例の透過正面図である。
【図３】従来例の空気調和機の透過正面図である。
【図４】従来例の空気調和機の概略断面図である。
【符号の説明】
１  本体ケーシング
２  室内熱交換器
４  換気ファンユニット
６  補助配管
７  通気ダクト
【図１】
0003835054.tif 000002
【図２】
0003835054.tif 000003
【図３】
0003835054.tif 000004
【図４】
0003835054.tif 000005